(57)【特許請求の範囲】
【請求項１】
弾性金属薄板製のドーム状可動接点と、ドーム状可動接点外縁下端部が載った外側固定接点およびドーム状可動接点の中心位置に配された中心固定接点およびドーム状可動接点外縁下端部より内側でドーム状可動接点中心から等距離で等角度の位置に配された複数個の内側固定接点を底面に有する成形樹脂製の箱形ケースと、箱形ケース上面の開口部を覆い中央に貫通孔を有するカバーと、軸部とその下端に一体に形成されたフランジ部からなり、軸部がカバー中央の貫通孔から上方に突出し、フランジ部の上面がカバーの裏面に接し、その外周が上記ケースの内壁に回転はしないが傾倒および上下動可能に嵌合支持されると共に、上記ドーム状可動接点の中心上端に当接する中心押圧部およびこれより少し短い寸法で上記の複数個の内側固定接点に各々対応する複数個の内側押圧部が下面に設けられている操作体からなる多方向操作スイッチ。
【請求項２】
箱形ケース底面の複数個の固定接点に各々対応した操作体の複数個の押圧部を弾性体で構成した請求項１記載の多方向操作スイッチ。
【請求項３】
箱形ケース底面の外側固定接点とドーム状可動接点の間に、ドーム状可動接点の反転動作力よりも少し小さい反発力を有する導電性の弾性体を配した請求項１または２記載の多方向操作スイッチ。
【請求項４】
中心固定接点および中心押圧部を有しない請求項１〜３のいずれか一つに記載の多方向操作スイッチを使用し、操作体の軸部を垂直下方に押し下げるとき、４個以上の複数個の内側固定接点の少なくとも対角方向に二つのスイッチが両方オンし、また、軸部を隣接する二つ以上の内側固定接点の中間方向に傾けると、二つの内側固定接点が両方オンすると共に、一定時間内に二つ以上の内側固定接点がオンした時に、どの単体のスイッチ信号とも異なる他の信号として処理するための時間測定手段を用いたスイッチング認識手段を設けた多方向操作装置。
【請求項５】
中心固定接点および中心押圧部を有する請求項１〜３のいずれか一つに記載の多方向操作スイッチを使用し、操作体の軸部を隣接する二つ以上の内側固定接点の中間方向に傾けると、二つの内側固定接点が両方オンすると共に、一定時間内に二つ以上の内側固定接点がオンしたときにどの単体のスイッチ信号とも異なる他の信号として処理するための時間測定手段を用いたスイッチング認識手段を設けた多方向操作装置。
【発明の詳細な説明】
【０００１】
【発明の属する技術分野】
本発明は、主としてオーディオ機器、ゲーム機器、カーナビゲーションシステム等の各種電子機器の入力操作部等に使用され、操作軸の傾倒およびプッシュ操作により駆動する多方向操作スイッチおよびこれを用いた多方向操作装置に関するものである。
【０００２】
【従来の技術】
従来のこの種の多方向操作スイッチを図１４〜図１７により説明する。
【０００３】
図１４の断面図において１は成形樹脂製の箱形のケースで、その上面の開口部は金属板などからなるカバー２で覆われている。
【０００４】
このケース１の底面部には、図１５の接点部の分解斜視図に示すように、中央固定接点３（３Ａ，３Ｂ）とこれから左右前後方向の等距離に配された四つの周辺固定接点４〜７がインサート成形により固定され、中央固定接点３の外側固定接点３Ａ上にはドーム状可動接点８が載せられると共に、周辺固定接点４〜７の上部にはダボ１Ａにより固定された共通可動接点体９の弾性接片１０〜１３が各々配置されている。
【０００５】
そして、ケース１の側壁部の内周に沿うように配設された圧縮コイルばね２０により、上方へ押し上げるように付勢された支持体２１の四角形の上端部２１Ａがカバー２の内面に弾接されると共に、その中央の窪み部２１Ｂには半球状の回転体２２が抱持されている。
【０００６】
この回転体２２は、その下端部外周のフランジ部２２Ａが支持体２１の中央窪み部２１Ｂの底面上に載り、その上部球面部２２Ｂがカバー２の中央の球面の円形孔２Ａに嵌まるように当接し、その非円形の中央垂直孔２２Ｃには棒状の金属材料製の操作軸２３が上下動可能に嵌合保持されている。
【０００７】
この操作軸２３は下端部２３Ａが回転体２２より下方へ突出してケース１底面部中央のドーム状の可動接点８に当接し、ケース１の上方へ突出した先端部２３Ｂには操作用のつまみ２４が装着されている。
【０００８】
また、支持体２１の外周部下面には、共通可動接点体９の各弾性接片１０〜１３に各々対応した押圧部２５Ａ〜２５Ｄが設けられている。
【０００９】
次に、この多方向操作スイッチの動作について説明すると、まず、操作軸２３が垂直中立位置にあり、その下端部２３Ａが中央のドーム状可動接点８を押さない図１４の状態では、本スイッチのいずれの接点間もオフとなっているものである。
【００１０】
そして、図１６の断面図に矢印で示すように、操作軸２３の上方先端部２３Ｂに装着されたつまみ２４の左上面を下方に押すと、操作軸２３が傾くと共に回転体２２がカバー２の球面の円形孔２Ａに当接しながら左方向に回転し、これにともなって回転体２２下面のフランジ部２２Ａの端部が支持体２１の窪み部２１Ｂの底面を下方に押すことにより、押された面と反対側の四角形の辺の上端部２１Ａを支点として支持体２１が左に傾き押圧部２５Ａに対応した弾性接片１０を下方に押して固定接点４に接触させ、共通可動接点体９と固定接点４の間をオンさせて、外部導出用の端子１９Ａ，１５を通して外部へ信号を発する。
【００１１】
この時、支持体２１の外周部２１Ａの左側部分が圧縮コイルばね２０を下方へ押し縮めながらカバー２の内面から離れる。
【００１２】
この後、つまみ２４に加えていた押し力を除くと、圧縮コイルばね２０の復元力によって支持体２１および回転体２２が元の図１４の中立位置へ押し戻されると共に、弾性接片１０も弾性復元力によって固定接点４から離れて元の図１４の状態まで復帰し、スイッチ接点もオフ状態に戻る。
【００１３】
同様にして、操作軸２３に装着されたつまみ２４の上面を押す位置を右・前・後と変えることにより、その方向に対応した外部導出用の端子１６〜１８を通して信号を出すことができる。
【００１４】
そして図１７の断面図に矢印で示すように、つまみ２４中央上面すなわち操作軸２３に上方から垂直に押し力を加えて押し下げると、その下端部２３Ａでケース１底面部のドーム状可動接点８が押されて反転動作し、節度を発生すると共に、中央固定接点３（３Ａ，３Ｂ）間をオンさせて端子１４を通して外部に信号を出すことができ、押し力を除くとドーム状可動接点８の復元力によって操作軸２３が押し上げられ、元の図１４の状態に復帰するように構成されたものであった。
【００１５】
【発明が解決しようとする課題】
しかしながら、近年、各種電子機器の小型化が要求される中で上記従来の多方向操作スイッチでは外径、厚みが大きく、また構成部品が多いためコストが高いという課題があった。
【００１６】
一方、操作軸を斜めに傾けてスイッチングを行う時にクリック感がなく、スイッチが入ったことが感覚的に分からないという課題もあった。
【００１７】
本発明はこのような従来の課題を解決するものであり、スイッチの構成部品が少なく、スイッチの外径、厚みが小さく低コストで、操作軸を斜めに傾けてスイッチングを行う時にクリック感がある多方向操作スイッチおよびこれを用いた多方向操作装置を提供することを目的とするものである。
【００１８】
【課題を解決するための手段】
上記課題を解決するために本発明は、弾性金属薄板製のドーム状可動接点と、成形樹脂製の箱形ケースの底面に設けられたドーム状可動接点外縁下端部が載る外側固定接点およびドーム状可動接点の中心位置に配された中心固定接点およびドーム状可動接点外縁下端部より内側でドーム状可動接点中心から等距離で等角度の位置に配された複数個の内側固定接点を成形樹脂製の箱形ケース底面に配したスイッチ接点に対して、操作体の傾倒動作およびプッシュ動作により各接点のスイッチングが行える構成としたものである。
【００１９】
これにより、スイッチの外径、厚みが小さく、低コストで、操作体を斜めに傾けてスイッチングを行うとき、および操作体を垂直下方に押し下げてスイッチングを行うときのそれぞれにクリック感がある多方向操作スイッチを提供することができる。
【００２０】
【発明の実施の形態】
本発明の請求項１に記載の発明は、弾性金属薄板製のドーム状可動接点と、ドーム状可動接点外縁下端部が載った外側固定接点およびドーム状可動接点の中心位置に配された中心固定接点およびドーム状可動接点外縁下端部より内側でドーム状可動接点中心から等距離で等角度の位置に配された複数個の内側固定接点を底面に有する成形樹脂製の箱形ケースと、箱形ケース上面の開口部を覆い中央に貫通孔を有するカバーと、軸部とその下端に一体に形成されたフランジ部からなり、軸部がカバー中央の貫通孔から上方に突出し、フランジ部の上面がカバーの裏面に接し、その外周が上記ケースの内壁に回転はしないが傾倒および上下動可能に嵌合支持されると共に、上記ドーム状可動接点の中心上端に当接する中心押圧部およびこれより少し短い寸法で上記の複数個の内側固定接点に各々対応する複数個の内側押圧部が下面に設けられている操作体からなる多方向操作スイッチとしたものであり、スイッチの構成部品が少なく外径，厚みが小さく低コストで、操作軸を斜めに傾けてスイッチングを行うときにクリック感があるスイッチとすることができると共に、操作体を垂直下方に押し下げるとドーム状可動接点が反転し、節度を生じると同時に中央固定接点と接触してスイッチングが行われるプッシュオンスイッチ機能も付加されたものにできるという作用を有する。
【００２１】
請求項２に記載の発明は、請求項１記載の発明において、箱形ケース底面の複数個の固定接点に各々対応した操作体の複数個の押圧部を弾性体で構成した多方向操作スイッチとしたものであり、請求項１記載の発明と同様の作用に加えて、操作体に大きな力や衝撃力が加わった場合に接点部に損傷を与えることを防止できるという作用を有する。
【００２２】
請求項３に記載の発明は、請求項１または２記載の発明において、箱形ケース底面の外側固定接点とドーム状可動接点の間に、ドーム状可動接点の反転動作力よりも少し小さい反発力を有する導電性の弾性体を配した多方向操作スイッチとしたものであり、請求項１または２記載の発明と同様の作用に加えて、操作体の軸部を斜めに傾けて操作体下面の押圧部がドーム状可動接点を押し下げてスイッチングを行う時に操作体の軸部を傾ける角度を大きくすることができるため確実で安定したスイッチングを行うことができるという作用を有する。
【００２３】
請求項４に記載の発明は、中心固定接点および中心押圧部を有しない請求項１〜３のいずれか一つに記載の多方向操作スイッチを使用し、操作体の軸部を垂直下方に押し下げるとき、４個以上の複数個の内側固定接点の少なくとも対角方向の二つのスイッチが両方オンし、また、軸部を隣接する二つ以上の内側固定接点の中間方向に傾けると、二つの内側固定接点が両方オンすると共に、一定時間内に二つ以上の内側固定接点がオンした時に、どの単体のスイッチ信号とも異なる他の信号として処理するための時間測定手段を用いたスイッチング認識手段を設けた多方向操作装置としたものであり、中心固定接点および中心押圧部を設けなくても操作体を垂直下方に押し下げる時にスイッチングが行えると共に、操作体を斜めに傾けたときには内側固定接点数の二倍の方向の信号を出力できる多方向操作装置としての使用が可能になるという作用を有する。
【００２４】
請求項５に記載の発明は、中心固定接点および中心押圧部を有する請求項１〜３のいずれか一つに記載の多方向操作スイッチを使用し、操作体の軸部を隣接する二つ以上の内側固定接点の中間方向に傾けると、二つの内側固定接点が両方オンすると共に、一定時間内に二つ以上の内側固定接点がオンしたときにどの単体のスイッチ信号とも異なる他の信号として処理するための時間測定手段を用いたスイッチング認識手段を設けた多方向操作装置としたものであり、操作体を斜めに傾けたときには内側固定接点数の二倍の方向の信号を出力できる多方向操作装置としての使用が可能になるという作用を有する。
【００２５】
以下、本発明の実施の形態による多方向操作スイッチおよびこれを用いた多方向操作装置について図１〜図１３を用いて説明する。
【００２６】
（実施の形態１）
図１は本発明の第１の実施の形態による多方向操作スイッチの断面図、図２は同分解斜視図であり、同図において３１は成形樹脂製の箱形ケースで、その上面の開口部を金属板などからなるカバー３２で覆われていることは従来例と同様である。
【００２７】
そして、図３の箱形ケースの平面図に示すように成形樹脂製の箱形ケース３１の底面部には弾性金属薄板製のドーム状可動接点３８の外縁下端部が載った外側固定接点３３と、これより内側にドーム状可動接点３８の中心から左右前後の等距離で等角度の位置に配設された四つの内側固定接点３４〜３７がインサート成形などによって固定されており、これらの固定接点３３および３４〜３７は各々に対応した外部導出用の端子４３および４４〜４７を有している。
【００２８】
なお、外側固定接点３３および外部導出用の端子４３は四組示しているが、これは一組でもよいものである。
【００２９】
また、箱形ケース３１の内壁は四つの角部３１Ａを有しており、軸部４０Ｂとその下端に一体で形成された四角形状のフランジ部４０Ａからなり、軸部４０Ｂが上記カバー３２中央の貫通孔３２Ａから上方に突出した操作体４０が、箱形ケース３１の内壁の角部３１Ａにより回転はできないが傾倒および上下動可能に嵌合支持されている。
【００３０】
そして、操作体４０のフランジ部４０Ａ下面には箱形ケース３１底面の内側固定接点３４〜３７に各々対応した位置に押圧部４１が設けられ、この押圧部４１が箱形ケース３１底面の外側固定接点３３上に箱形ケース３１内壁の円形部によって操作体４０と中心が一致するように位置決めして載せられたドーム状可動接点３８の上面部に当接することで、操作体４０のフランジ部４０Ａ上面を上記カバー３２の内面に押しつけて操作体４０を垂直中立位置に保っている。
【００３１】
なお、上記の操作体４０下面に設けた押圧部４１の形状は、箱形ケース３１底面の内側固定接点３４〜３７に対応する方向に角を設けた多角形のリング状にしても良いことは勿論である。
【００３２】
そして操作体４０の上方先端部４０Ｃに操作用のつまみ４２が装着されていることは従来の技術と同様である。
【００３３】
次に、本実施の形態による多方向操作スイッチの動作について説明する。
【００３４】
まず、操作体４０が垂直中立位置にあり、その下面の押圧部４１がドーム状可動接点３８を押さない図１の状態では、本スイッチのいずれの接点間もオフの状態となっている。
【００３５】
そして、図４に矢印で示すように、操作体４０の上方先端部４０Ｃに装着されたつまみ４２の左上面を下方に押すと、操作体４０はフランジ部４０Ａ上面の右側を支点として傾き、下面の押圧部４１がドーム状可動接点３８を押して反転させ、節度を生じると同時に対応する箱形ケース３１底面左側の内側固定接点３４と接触させ、外側固定接点３３と内側固定接点３４の間をオンさせ、外部導出用の端子４３，４４を通して外部へ信号を発する。
【００３６】
このとき内側固定接点３４〜３７と、ドーム状可動接点３８が反転したときにその中央下面が接触する箱形ケース３１の中央底面部３１Ｂの高さの差Ｈは、操作体４０を傾けてドーム状可動接点３８が反転したときに傾けた方向以外の内側固定接点３５〜３７とドーム状可動接点３８が接触しない高さに設定してある。
【００３７】
この後、つまみ４２に加えていた押し力を除くと、ドーム状可動接点３８の弾性復元力によって操作体４０は下面の押圧部４１が押し上げられて垂直中立位置に戻り、ドーム状可動接点３８が内側固定接点３４から離れてスイッチ接点もオフ状態に戻る。
【００３８】
同様にして、つまみ４２を押す位置を右・前・後と変えることにより、それぞれの方向に応じた導出用の端子４６，４７，４５を通して外部に信号を出すことができる。
【００３９】
この操作体４０の傾倒操作時に、操作体４０のフランジ部４０Ａと箱形ケース３１内壁とが四角形の四つの角部３１Ａで嵌合しているので操作体４０すなわちつまみ４２が回転せず、希望の周辺スイッチ接点間を容易に確実にオンさせることができる。
【００４０】
なお、図５（ａ）および（ｂ）に示すようにドーム状可動接点３８に、スリット３８Ａやリブ３８Ｂを設けることによって、操作体４０を傾けてドーム状可動接点３８を反転させる時にドーム状可動接点３８の被押圧部以外の反転移動量を小さくすることができ、被押圧部以外の内側固定接点３５〜３７等とドーム状可動接点３８との絶縁距離を大きくでき、確実で安定したスイッチングが行えるとともに、節度感を無くすることも可能である。
【００４１】
以上のように、本実施の形態による多方向操作スイッチは、一個のドーム状可動接点３８の下に複数個の内側固定接点３４〜３７を設けることにより、操作体４０を傾けた各々の方向に対応したスイッチングが行えるので、構成部品が少なく、外径，厚みを小さくできるとともにコスト面でも有利であり、また操作体４０下面の押圧部４１がドーム状可動接点３８を押し下げ、このドーム状可動接点３８が反転する時にクリック感を生じさせることができるものである。
【００４２】
次に、操作体４０を隣合う内側固定接点の中間方向に傾ける場合、操作体４０は傾ける方向とは直角方向の二つの対角方向の角部を支点として傾き、操作体４０を傾けた方向の両側の内側固定接点が両方ともオンした状態となる。
【００４３】
そして、本実施の形態による多方向操作スイッチを使用した多方向操作装置において、隣合う二組のスイッチ接点のオンするタイミングがずれた場合、外部導出の端子に接続されたマイクロコンピュータ（図示せず）により構成されるスイッチング確認手段を用いることにより、二組のスイッチ接点のスイッチオン時のタイミングの差を測定し、ある特定の時間差内であれば同時にオンと判定する時間測定手段（図示せず）を設けることによって個別のスイッチ接点をオンしたときとは異なる他の信号として処理することによって、内側固定接点数の二倍の信号を処理でき、８方向スイッチとしての使用が可能となるものである。
【００４４】
さらに、図６に示すように操作体４０の上方先端部４０Ｃに装着されたつまみ４２の中央上面すなわち操作体４０に上方から垂直に押し力を加えて押し下げると、操作体４０の下面に配された押圧部４１がドーム状可動接点３８を押し、反転させて節度を生じると同時に内側固定接点３４〜３７のうち二つ以上の固定接点がオンし、少なくとも対角方向に位置する内側固定接点３４〜３７の少なくとも二つが両方オンした状態となる。
【００４５】
そして、本実施の形態による多方向操作スイッチを使用した多方向操作装置において、上記傾倒動作の場合と同様に対角方向の二つのスイッチ接点のオンするタイミングがずれた場合、外部導出用の端子に接続されたマイクロコンピュータ（図示せず）により構成されるスイッチング認識手段を用いることにより、二つのスイッチのスイッチオン時のタイミングの差を測定し、ある特定の時間差内であれば同時オンと判定する時間測定手段（図示せず）を設けることによって個別のスイッチをオンしたときとは異なる他の信号として処理することによって、操作体４０のプッシュ動作によるスイッチングが可能となるものである。
【００４６】
（実施の形態２）
図７は本発明の第２の実施の形態による多方向操作スイッチの箱形ケース３１の平面図である。
【００４７】
本実施の形態による多方向操作スイッチは、上記実施の形態１による多方向操作スイッチに対して、ドーム状可動接点３８の中心位置に箱形ケース３１に配された中心固定接点６０と、この中心固定接点６０に対応した外部導出用の端子６１を設け、そして操作体４０の下面には上記中心固定接点６０に対応した中心押圧部６２が配設され（図８参照）、ドーム状可動接点３８の中心部上端に当接し、内側固定接点３４〜３７に各々対応した内側押圧部４１が中心押圧部６２よりも少し短い寸法としたものであり、図８の断面図に矢印で示すように操作体４０の上方先端部４０Ｃに装着されたつまみ４２の中央上面すなわち操作体４０に上方から垂直に押し力を加えて押し下げると、操作体４０の下面に配された中心押圧部６２がドーム状可動接点３８を押し、反転させて節度を生じると同時に中心固定接点６０と接触して外側固定接点３３と中心固定接点６０の間がオンし、中心固定接点６０に対応した外部導出用の端子６１を通して信号を外部に発することができ、押し力を除くと、ドーム状可動接点３８の復元力によって操作体４０が押し上げられて垂直中立位置の状態に戻る。
【００４８】
これにより、本実施の形態による多方向操作スイッチは実施の形態１で説明した操作体４０の傾倒操作に加え、プッシュ動作によるスイッチングが可能となるものである。
【００４９】
なお、本実施の形態による多方向操作スイッチにおいて、つまみ４２に垂直に押し力を加えて押し下げ、操作体４０の下面の中心押圧部６２がドーム状可動接点３８を反転させる時に、操作体４０の下面の内側押圧部４１がドーム状可動接点３８を押さないように、内側押圧部４１は中心押圧部６２よりも少し短く設定されている。
【００５０】
また、本実施の形態による多方向操作スイッチにおいても、実施の形態１による多方向操作スイッチと同様に、つまみ４２の上面端部を押して操作体４０を傾けて内側固定接点３４〜３７をオンさせることや、操作体４０を隣合う内側固定接点の中間方向に傾けた場合、操作体４０を傾けた方向の両側の内側固定接点が両方ともオンした状態となり、本実施の形態による多方向操作スイッチを使用した多方向操作装置において、隣合う二組のスイッチ接点のオンするタイミングがずれた場合、外部導出用の端子に接続されたマイクロコンピュータ（図示せず）により構成されるスイッチング認識手段を用いることにより、二組のスイッチのスイッチオン時のタイミングの差を測定し、ある特定の時間差内であれば同時オンと判定する時間測定手段（図示せず）を設けることによって個別のスイッチをオンしたときとは異なる他の信号として処理することによって、内側固定接点数の二倍の信号を処理でき、８方向スイッチとしての使用が可能となることはもちろんである。
【００５１】
（実施の形態３）
図９は本発明の第３の実施の形態による多方向操作スイッチの断面図である。
【００５２】
本実施の形態による多方向操作スイッチは、上記実施の形態１または２による多方向操作スイッチに対して、箱形ケース３１底面の複数個の固定接点３４〜３７，（６０）に各々対応した操作体下面の複数個の押圧部４１，（６２）をゴム等の弾性体４８で構成したものであり、操作体４０下面に設けた凹部４０Ｄに弾性体４８が圧入装着されている。
【００５３】
この弾性体４８は箱形ケース３１底面の外側固定接点３３上に載ったドーム状可動接点３８に当接しているが、その圧縮変形力はドーム状可動接点３８の反転動作力よりも大きく設定されている。
【００５４】
従って、図１０に示すように操作体４０の上方先端部４０Ｃに装着されたつまみ４２の左上面を下方に押すと、操作体４０はフランジ部４０Ａ上面の右側を支点として傾き、下面の弾性体４８がドーム状可動接点３８を押して反転させて節度を生じると同時に対応する箱形ケース３１底面左側の内側固定接点３４と接触してスイッチをオンさせることができる。
【００５５】
そして、つまみ４２の左上面に更に大きな力が加わると弾性体４８が圧縮変形してその力を吸収すると共に、操作体４０の軸部４０Ｂがカバー３２中央の貫通孔３２Ａの周囲に設けられた貫通孔壁部３２Ｂに当たって、操作体４０が更に傾くことを防いでいる。
【００５６】
また、つまみ４２中央上面すなわち操作体４０に下方への大きな力や衝撃力が加わったときにも弾性体４８が圧縮変形してその力を吸収し、ドーム状可動接点３８に必要以上の大きな力が加わることを防ぎ、その損傷を防止できる。
【００５７】
これにより、本実施の形態による多方向操作スイッチはドーム状可動接点３８に必要以上の大きな力が加わることを防ぎ、その損傷を防止できるものである。
【００５８】
（実施の形態４）
図１１は本発明の第４の実施の形態による多方向操作スイッチの断面図である。
【００５９】
本実施の形態による多方向操作スイッチは、上記実施の形態１による多方向操作スイッチに対して、ドーム状可動接点３８と箱形ケース３１の外側固定接点３３との間に、図１２の斜視図に示すドーム状可動接点３８の反転動作力よりも少し小さい反発力を有する導電性の弾性体４９を配設したものであり、操作体４０の上方先端部４２Ｃに装着されたつまみ４２の左上面を下方に押すと、操作体４０はフランジ部４０Ａ上面の右側を支点として傾き、下面の押圧部４１がドーム状可動接点３８を押すことは、実施の形態１の多方向操作スイッチの場合と同様である。
【００６０】
しかし、図１３の断面図に示すようにドーム状可動接点３８と箱形ケース３１の外側固定接点３３との間に配設された導電性の弾性体４９の効果によって、ドーム状可動接点３８は操作体４０の押圧部４１によって押されて左側が低く傾いた状態で反転し、節度を生じると同時に箱形ケース３１底面左側の内側固定接点３４と接触してスイッチがオンし、外部導出用の端子４４を通して外部へ信号を発する。
【００６１】
この後、つまみ４２に加えていた押し力を除くと、ドーム状可動接点３８および導電性の弾性体４９の復元力によって操作体４０は下面の押圧部４１が押し上げられて垂直中立位置に戻り、内側固定接点３４からドーム状可動接点３８が離れてスイッチがオフ状態に戻る。
【００６２】
同様にして、つまみ４２を押す位置を右・前・後と変えることにより、それぞれの方向に応じた導出用の端子４６，４７，４５を通して外部に信号を出すことができることは実施の形態１の多方向操作スイッチの場合と同様である。
【００６３】
これにより、中立状態における内側固定接点３５〜３７とドーム状可動接点３８とが容易に接触しないよう絶縁距離を大きくすることができるのでスイッチの誤動作を防ぎ、操作体４０を傾ける角度を大きくできるので確実で安定したスイッチングを行うことができるものである。
【００６４】
【発明の効果】
以上のように本発明によれば、スイッチ全体の構成部品が少なく、スイッチの外径および厚みを小さくでき、低コストであると共に、操作体を斜めに傾けてスイッチングを行うとき、および操作体を垂直下方に押し下げてスイッチングを行うときのそれぞれにクリック感があるスイッチを提供することができ、更に内側固定接点の中間方向に操作軸を傾けた場合や操作軸を下方に押し下げた場合にも、別のスイッチ信号として使用できるなどの有利な効果が得られる。
【図面の簡単な説明】
【図１】  本発明の第１の実施の形態による多方向操作スイッチの断面図
【図２】  同分解斜視図
【図３】  同ケースの平面図
【図４】  同操作体を傾倒する場合を示す断面図
【図５】  同ドーム状可動接点の一例を示す平面図
【図６】  同操作体をプッシュ操作する場合を示す断面図
【図７】  本発明の第２の実施の形態による多方向操作スイッチのケース底面部の平面図
【図８】  同操作体をプッシュ操作する場合を示す断面図
【図９】  本発明の第３の実施の形態による多方向操作スイッチの断面図
【図１０】  同操作体を傾倒する場合を示す断面図
【図１１】  本発明の第４の実施の形態による多方向操作スイッチの断面図
【図１２】  同導電性の弾性体を示す斜視図
【図１３】  同操作体を傾倒する場合を示す断面図
【図１４】  従来の多方向操作スイッチの断面図
【図１５】  同接点部の分解斜視図
【図１６】  同操作軸を傾倒する場合を示す断面図
【図１７】  同操作軸をプッシュ操作する場合を示す断面図
【符号の説明】
３１  箱形ケース
３１Ａ  角部
３１Ｂ  中央底面部
３２  カバー
３２Ａ  貫通孔
３２Ｂ  貫通孔壁部
３３  外側固定接点
３４〜３７  内側固定接点
３８  ドーム状可動接点
３８Ａ  スリット
３８Ｂ  リブ
４０  操作体
４０Ａ  フランジ部
４０Ｂ  軸部
４０Ｃ  上方先端部
４０Ｄ  凹部
４１  押圧部
４２  つまみ
４３〜４７，６１  端子
４８  弾性体
４９  導電性の弾性体
６０  中心固定接点
６２  中心押圧部
【図１】
0003812008.tif 000002
【図２】
0003812008.tif 000003
【図３】
0003812008.tif 000004
【図４】
0003812008.tif 000005
【図５】
0003812008.tif 000006
【図６】
0003812008.tif 000007
【図７】
0003812008.tif 000008
【図８】
0003812008.tif 000009
【図９】
0003812008.tif 000010
【図１０】
0003812008.tif 000011
【図１１】
0003812008.tif 000012
【図１２】
0003812008.tif 000013
【図１３】
0003812008.tif 000014
【図１４】
0003812008.tif 000015
【図１５】
0003812008.tif 000016
【図１６】
0003812008.tif 000017
【図１７】
0003812008.tif 000018